(57)【要約】  【課題】  空き巣等の不審者による犯行を未然に防止させるテレビドアホン装置はなかった。  【解決手段】  訪問者を撮像するＣＣＤカメラユニット１８を備えたカメラ玄関子機２と、撮像した訪問者の映像をモニタ表示する液晶ユニット４０を備えたモニタ親機３とを備え、モニタ親機及びカメラ玄関子機間で通話可能とするテレビドアホン装置１であって、シャッター音を発生するシャッター音発生回路５１と、カメラ玄関子機の呼出ボタン１４のボタン操作に対応した呼出信号を検出すると、シャッター音発生回路を起動してシャッター音を発生し、このシャッター音を、カメラ玄関子機の子機側スピーカ１３にて音声出力させるマイコン４５とを備えるようにした。【選択図】  図１
2006319426.tif 000002
【特許請求の範囲】
【請求項１】
訪問者を撮像する撮像機能を備えたカメラ玄関子機と、前記カメラ玄関子機にて撮像した訪問者の映像をモニタ表示する映像表示機能を備えたモニタ親機とを備え、前記モニタ親機及び前記カメラ玄関子機間で通話可能とするテレビドアホン装置であって、
擬似シャッター音を発生する擬似シャッター音発生手段と、
前記擬似シャッター音発生手段にて発生した擬似シャッター音を、前記カメラ玄関子機のスピーカにて音声出力させる音声出力制御手段とを有することを特徴とするテレビドアホン装置。
【請求項２】
前記擬似シャッター音の音声出力の禁止を指定する禁止指定手段を有し、
前記音声出力制御手段は、
前記禁止指定手段の指定操作を検出すると、前記擬似シャッター音の音声出力を禁止することを特徴とする請求項１記載のテレビドアホン装置。
【請求項３】
前記カメラ玄関子機から前記モニタ親機への呼出を指定する呼出指定手段を有し、
前記擬似シャッター音発生手段は、
前記呼出指定手段の指定操作を検出すると、前記擬似シャッター音を発生することを特徴とする請求項１又は２記載のテレビドアホン装置。
【請求項４】
前記カメラ玄関子機から前記モニタ親機への呼出を指定する呼出指定手段と、
所定時間を計時する計時手段とを有し、
前記擬似シャッター音発生手段は、
前記呼出指定手段の指定操作を検出すると、前記計時手段にて前記所定時間の計時動作を開始し、前記計時手段にて前記所定時間が経過すると、前記擬似シャッター音を発生することを特徴とする請求項１又は２記載のテレビドアホン装置。
【請求項５】
前記擬似シャッター音の音声出力の開始を指定する出力開始指定手段を有し、
前記擬似シャッター音発生手段は、
前記出力開始指定手段の指定操作を検出すると、前記擬似シャッター音を発生することを特徴とする請求項１，２，３又は４記載のテレビドアホン装置。
【請求項６】
前記モニタ親機は、
前記カメラ玄関子機にて撮像した訪問者の映像信号を録画する録画手段を有し、
前記擬似シャッター音発生手段は、
前記録画手段にて前記訪問者の映像信号が録画されると、前記擬似シャッター音を発生することを特徴とする請求項１，２，３，４又は５記載のテレビドアホン装置。
【請求項７】
前記擬似シャッター音発生手段は、
前記モニタ親機内部に配置されたことを特徴とする請求項１，２，３，４，５又は６記載のテレビドアホン装置。
【請求項８】
訪問者を撮像する撮像機能を備えたカメラ玄関子機と、前記カメラ玄関子機にて撮像した訪問者の映像をモニタ表示する映像表示機能を備えたモニタ親機とを備え、前記モニタ親機及び前記カメラ玄関子機間で通話可能とするテレビドアホン装置であって、
前記カメラ玄関子機は、
前記モニタ親機からの制御信号を検出すると、擬似シャッター音を発生する擬似シャッター音発生手段を有し、
前記モニタ親機は、
前記擬似シャッター音発生手段にて発生した擬似シャッター音を前記カメラ玄関子機のスピーカに音声出力させるべく、前記制御信号を出力する出力制御手段を有することを特徴とするテレビドアホン装置。
【発明の詳細な説明】
【技術分野】
【０００１】
本発明は、例えば訪問者を撮像する撮像機能を備えたカメラ玄関子機と、このカメラ玄関子機にて撮像した訪問者の映像をモニタ表示する映像表示機能を備えたモニタ親機とを備え、前記モニタ親機及びカメラ玄関子機間で通話可能とするテレビドアホン装置に関する。
【背景技術】
【０００２】
従来、このようなテレビドアホン装置としては、例えば訪問者を撮像する撮像機能を備えた室外側のカメラ玄関子機と、このカメラ玄関子機にて撮像した訪問者の映像をモニタ表示する映像表示機能を備えた室内側のモニタ親機とを備え、前記モニタ親機及びカメラ玄関子機間で通話可能としたものがある(例えば特許文献１参照)。
【０００３】
このような特許文献１によれば、例えばカメラ玄関子機からモニタ親機への呼出操作を検出すると、前記モニタ親機及びカメラ玄関子機間を通話可能にすると共に、カメラ玄関子機にて撮像した訪問者の映像をモニタ親機にモニタ表示するようにしたので、モニタ親機側のユーザは訪問者と通話しながら訪問者を視覚的に認識することができる。
【０００４】
また、特許文献１によれば、カメラ玄関子機にて撮像した訪問者の映像をモニタ親機側にて録画できるようにしたので、例えばモニタ親機側のユーザが留守中の場合でも、同訪問者の映像を録画することができるため、防犯上の観点からも優れたものと言える。
【特許文献１】特開２０００−３６９５２号公報（要約書及び図1参照）
【発明の開示】
【発明が解決しようとする課題】
【０００５】
しかしながら、上記従来のテレビドアホン装置によれば、カメラ玄関子機にて訪問者を撮像する場合には現在撮像されていることを訪問者側に認識されるようにはしていないため、例えば同訪問者が空き巣や押し込み強盗等の不審者の場合、同不審者が、そのまま、気づかれていないものと判断して警戒することなく、そのまま、犯行に及んでしまうといった事態が考えられる。
【０００６】
そこで、本発明は上記点に鑑みてなされたものであり、その目的とするところは、不審者の犯行を未然に防止することができる防犯効果に優れたテレビドアホン装置を提供することにある。
【課題を解決するための手段】
【０００７】
上記目的を達成するために本発明のテレビドアホン装置は、訪問者を撮像する撮像機能を備えたカメラ玄関子機と、前記カメラ玄関子機にて撮像した訪問者の映像をモニタ表示する映像表示機能を備えたモニタ親機とを備え、前記モニタ親機及び前記カメラ玄関子機間で通話可能とするテレビドアホン装置であって、擬似シャッター音を発生する擬似シャッター音発生手段と、前記擬似シャッター音発生手段にて発生した擬似シャッター音を、前記カメラ玄関子機のスピーカにて音声出力させる音声出力制御手段とを有するようにしたものである。
【発明の効果】
【０００８】
上記のように構成された本発明のテレビドアホン装置によれば、擬似シャッター音発生手段にて発生した擬似シャッター音をカメラ玄関子機側のスピーカにて音声出力させるようにしたので、不審者に対して擬似シャッター音の音声出力で自分の映像が撮像されたことをあえて知らせ、同不審者に警戒感を抱かせ、その犯行に及ばせないようにすることで、同不審者の犯行を未然に防止することができる。
【発明を実施するための最良の形態】
【０００９】
本願請求項１記載のテレビドアホン装置は、訪問者を撮像する撮像機能を備えたカメラ玄関子機と、前記カメラ玄関子機にて撮像した訪問者の映像をモニタ表示する映像表示機能を備えたモニタ親機とを備え、前記モニタ親機及び前記カメラ玄関子機間で通話可能とするテレビドアホン装置であって、擬似シャッター音を発生する擬似シャッター音発生手段と、前記擬似シャッター音発生手段にて発生した擬似シャッター音を、前記カメラ玄関子機のスピーカにて音声出力させる音声出力制御手段とを有するようにした。
【００１０】
従って、本願請求項１記載のテレビドアホン装置によれば、擬似シャッター音発生手段にて発生した擬似シャッター音をカメラ玄関子機側のスピーカにて音声出力させるようにしたので、不審者に対して擬似シャッター音の音声出力で自分の映像が撮像されたことをあえて知らせ、同不審者に警戒感を抱かせ、その犯行に及ばせないようにすることで、同不審者の犯行を未然に防止することができる。
【００１１】
本願請求項２記載のテレビドアホン装置は、上記請求項１記載の構成に加えて、前記擬似シャッター音の音声出力の禁止を指定する禁止指定手段を有し、前記音声出力制御手段は、前記禁止指定手段の指定操作を検出すると、前記擬似シャッター音の音声出力を禁止するようにした。
【００１２】
従って、本願請求項２記載のテレビドアホン装置によれば、上記請求項１記載の効果に加えて、禁止指定手段の指定操作で擬似シャッター音の音声出力を禁止できるようにしたので、擬似シャッター音の音声出力の有無を状況に応じて設定することができ、その利便性の向上を図ることができる。
【００１３】
本願請求項３記載のテレビドアホン装置は、上記請求項１又は２記載の構成に加えて、前記カメラ玄関子機から前記モニタ親機への呼出を指定する呼出指定手段を有し、前記擬似シャッター音発生手段は、前記呼出指定手段の指定操作を検出すると、前記擬似シャッター音を発生するようにした。
【００１４】
従って、本願請求項３記載のテレビドアホン装置によれば、上記請求項１又は２記載の効果に加えて、カメラ玄関子機からモニタ親機への呼出を指定する呼出指定手段の指定操作を検出すると、擬似シャッター音を発生するようにしたので、訪問者側の呼出指定手段の指定操作のタイミングで擬似シャッター音を音声出力することができる。
【００１５】
本願請求項４記載のテレビドアホン装置は、上記請求項１又は２記載の構成に加えて、前記カメラ玄関子機から前記モニタ親機への呼出を指定する呼出指定手段と、所定時間を計時する計時手段とを有し、前記擬似シャッター音発生手段は、前記呼出指定手段の指定操作を検出すると、前記計時手段にて前記所定時間の計時動作を開始し、前記計時手段にて前記所定時間が経過すると、前記擬似シャッター音を発生するようにした。
【００１６】
従って、本願請求項４記載のテレビドアホン装置によれば、上記請求項１又は２記載の効果に加えて、カメラ玄関子機からモニタ親機への呼出を指定する呼出指定手段の指定操作から所定時間、例えば数秒経過後に擬似シャッター音を発生するようにした、つまり、擬似シャッター音の音声出力を遅らせることで、モニタ親機側のユーザが留守中であっても、あたかも同ユーザが室内にいて不審者を故意に撮影したかのように見せかけることで、同不審者に対して警戒感を深く抱かせることができる。
【００１７】
本願請求項５記載のテレビドアホン装置は、上記請求項１，２，３又は４記載の構成に加えて、前記擬似シャッター音の音声出力の開始を指定する出力開始指定手段を有し、前記擬似シャッター音発生手段は、前記出力開始指定手段の指定操作を検出すると、前記擬似シャッター音を発生するようにした。
【００１８】
従って、本願請求項５記載のテレビドアホン装置によれば、上記請求項１，２，３又は４記載の効果に加えて、出力開始指定手段の指定操作を検出すると、擬似シャッター音を発生するようにしたので、例えばモニタ親機側のユーザによる出力開始指定手段の指定操作のタイミングで自由に擬似シャッター音を音声出力することができる。
【００１９】
本願請求項６記載のテレビドアホン装置は、上記請求項１，２，３，４又は５記載の構成に加えて、前記モニタ親機は、前記カメラ玄関子機にて撮像した訪問者の映像信号を録画する録画手段を有し、前記擬似シャッター音発生手段は、前記録画手段にて前記訪問者の映像信号が録画されると、前記擬似シャッター音を発生するようにした。
【００２０】
従って、本願請求項６記載のテレビドアホン装置によれば、上記請求項１，２，３，４又は５記載の効果に加えて、録画手段にて訪問者の映像信号が録画されると、擬似シャッター音を発生するようにしたので、録画されたタイミングで擬似シャッター音を音声出力することができる。
【００２１】
本願請求項７記載のテレビドアホン装置は、上記請求項１，２，３，４，５又は６記載の構成に加えて、前記擬似シャッター音発生手段は、前記モニタ親機内部に配置されるようにした。
【００２２】
従って、本願請求項７記載のテレビドアホン装置によれば、上記請求項１，２，３，４，５又は６記載の効果に加えて、擬似シャッター音発生手段をモニタ親機内部に配置するようにしたので、例えば既存のカメラ玄関子機を変更することなく、既存のカメラ玄関子機に対して同モニタ親機を接続配置するだけで優れた防犯効果を得ることができる。
【００２３】
本願請求項８記載のテレビドアホン装置は、訪問者を撮像する撮像機能を備えたカメラ玄関子機と、前記カメラ玄関子機にて撮像した訪問者の映像をモニタ表示する映像表示機能を備えたモニタ親機とを備え、前記モニタ親機及び前記カメラ玄関子機間で通話可能とするテレビドアホン装置であって、前記カメラ玄関子機は、前記モニタ親機からの制御信号を検出すると、擬似シャッター音を発生する擬似シャッター音発生手段を有し、前記モニタ親機は、前記擬似シャッター音発生手段にて発生した擬似シャッター音を前記カメラ玄関子機のスピーカに音声出力させるべく、前記制御信号を出力する出力制御手段を有するようにした。
【００２４】
従って、本願請求項８記載のテレビドアホン装置によれば、前記カメラ玄関子機側に擬似シャッター音発生手段を備え、前記モニタ親機からの制御信号を検出すると、同擬似シャッター音発生手段にて擬似シャッター音を発生し、この擬似シャッター音をカメラ玄関子機のスピーカにて音声出力するようにしたので、不審者に対して擬似シャッター音の音声出力で自分の映像が撮像されたことをあえて知らせ、同不審者に警戒感を抱かせ、その犯行に及ばせないようにすることで、同不審者の犯行を未然に防止することができる。
【００２５】
さらに、本願請求項８記載のテレビドアホン装置によれば、カメラ玄関子機側に擬似シャッター音発生手段を設けるようにしたので、モニタ中等でモニタ親機からカメラ玄関子機に対して音声信号を送れない状況下であっても、カメラ玄関子機側にて擬似シャッター音を発生し、同カメラ玄関子機のスピーカから擬似シャッター音を音声出力することができる。
【００２６】
以下、図面に基づいて本発明に関わる実施の形態を示すテレビドアホン装置について説明する。
【００２７】
(実施の形態１)
図１は第１の実施の形態を示すテレビドアホン装置内部の概略構成を示すブロック図である。
【００２８】
図１に示すテレビドアホン装置１は、玄関室外に配置され、不審者等を含む訪問者を撮像する撮像機能を備えたカメラ玄関子機２と、室内に配置され、カメラ玄関子機２にて撮像した訪問者の映像をモニタ表示する映像表示機能を備えたモニタ親機３と、これらカメラ玄関子機２及びモニタ親機３間を有線接続する伝送線４とを備え、モニタ親機３及びカメラ玄関子機２間で通話可能な構成としている。
【００２９】
カメラ玄関子機２は、伝送線４と接続してモニタ親機３との通話系のインタフェースを司る子機側通話インタフェース１１と、この子機側通話インタフェース１１を通じてモニタ親機３側と通話するための子機側マイク１２及び子機側スピーカ１３と、モニタ親機３への呼出を指定する呼出ボタン１４と、この呼出ボタン１４のボタン操作に応じて呼出信号を伝送線４経由でモニタ親機３に出力する呼出信号出力回路１５と、伝送線４経由でモニタ親機３からの電力供給を受ける受電回路１６と、この受電回路１６にて受けた電力に基づき、カメラ玄関子機２全体に電力を供給する子機側電源回路１７と、訪問者を撮像する撮像機能を司るＣＣＤカメラユニット１８と、このＣＣＤカメラユニット１８にて撮像した訪問者の映像を映像信号としてＦＭ変調する映像ＦＭ変調回路１９と、伝送線４と接続してモニタ親機３との映像系のインタフェースを司り、映像ＦＭ変調回路１９からの映像信号を伝送線４経由でモニタ親機３に伝送する子機側映像伝送インタフェース２０とを有している。
【００３０】
モニタ親機３は、伝送線４と接続してカメラ玄関子機２との通話系のインタフェースを司る親機側通話インタフェース３１と、この親機側通話インタフェース３１を通じてカメラ玄関子機２側と通話するためのハンドセット３２と、伝送線４経由でカメラ玄関子機２内部の呼出信号出力回路１５からの呼出信号を検出する呼出信号検出回路３３と、呼出信号に応じて、例えば「ピンポーン」等の着信音を発生する着信音発生回路３４と、この着信音発生回路３４にて発生した着信音を音声出力するモニタスピーカ３５と、商用電源から電力を供給する親機側電源回路３６と、この親機側電源回路３６にて供給した電力に基づき、モニタ親機３全体に電力を供給する給電回路３７と、伝送線４と接続してカメラ玄関子機２との映像系のインタフェースを司る親機側映像伝送インタフェース３８と、この親機側映像伝送インタフェース３８にて受信した訪問者の映像信号をＦＭ復調する映像ＦＭ復調回路３９と、この映像ＦＭ復調回路３９にてＦＭ復調した訪問者の映像信号を液晶ユニット４０に表示出力する液晶表示用駆動回路４１と、液晶ユニット４０のバックライトを点灯するバックライトインバータ４２と、映像ＦＭ復調回路３９にてＦＭ復調した訪問者の映像信号を録画する録画回路４３と、様々な指令を入力するボタン群４４と、このモニタ親機３全体を制御するマイコン４５とを有している。
【００３１】
また、モニタ親機３は、擬似的なシャッター音を発生するシャッター音発生回路５１と、このシャッター音発生回路５１の設定フラグ、例えばシャッター音の発生を許可する許可フラグ、又はシャッター音の発生を禁止する禁止フラグを記憶するフラグ記憶部５２と、タイマ時間を計時するタイマ回路５３とを有している。尚、フラグ記憶部５２は、デフォルトの状態においてはシャッター音の発生を許可する許可フラグを記憶しているものとする。
【００３２】
また、モニタ親機３のボタン群４４は、カメラ玄関子機２との通話をワンタッチ操作で切断するためのフックボタン４４Ａと、カメラ玄関子機２との通話をモニタ出力するためのモニタボタン４４Ｂと、録画回路４３に訪問者の映像信号を録画させるための録画ボタン４４Ｃと、同録画回路４３に録画した訪問者の映像信号を液晶ユニット４０に表示出力させるための再生ボタン４４Ｄと、タイマ回路５３にて設定中のタイマ時間を設定変更するためのタイマ設定ボタン４４Ｅと、フラグ記憶部５２に記憶中の設定フラグを設定変更するためのシャッター音出力設定ボタン４４Ｆと、シャッター音発生回路５１にてシャッター音を発生させるためのシャッター音起動ボタン４４Ｇとを有している。
【００３３】
また、マイコン４５は、シャッター音出力設定ボタン４４ＦのＯＮ操作を検出すると、フラグ記憶部５２に記憶中の設定フラグを禁止フラグに設定すると共に、シャッター音出力設定ボタン４４ＦのＯＦＦ操作を検出すると、フラグ記憶部５２に記憶中の設定フラグを許可フラグに設定するものである。
【００３４】
マイコン４５は、呼出信号検出回路３３を通じてカメラ玄関子機２内の呼出信号出力回路１５からの呼出信号を検出すると、フラグ記憶部５２に記憶中の設定フラグの内容を判定し、同設定フラグが許可フラグであると判定されると、シャッター音発生回路５１を起動してシャッター音を発生させ、伝送線４及び子機側通話インタフェース１１経由で子機側スピーカ１３に同シャッター音を音声出力させるものである。
【００３５】
また、マイコン４５は、呼出信号検出回路３３を通じてカメラ玄関子機２内の呼出信号出力回路１５からの呼出信号を検出すると、フラグ記憶部５２に記憶中の設定フラグの内容を判定し、同設定フラグが禁止フラグであると判定されると、シャッター音発生回路５１を起動せず、シャッター音の発生を禁止するものである。尚、マイコン４５は、フラグ記憶部５２に記憶中の設定フラグが禁止フラグであっても、シャッター音起動ボタン４４Ｇのボタン操作を検出すると、シャッター音発生回路５１を起動してシャッター音を発生させ、伝送線４及び子機側通話インタフェース１１経由で子機側スピーカ１３に同シャッター音を音声出力させるものとしている。
【００３６】
また、マイコン４５は、タイマ設定ボタン４４Ｅにてタイマ時間を設定した場合、呼出信号検出回路３３を通じてカメラ玄関子機２内の呼出信号出力回路１５からの呼出信号を検出すると、フラグ記憶部５２に記憶中の設定フラグの内容を判定し、同設定フラグが許可フラグであると判定されると、タイマ回路５３にて同設定タイマ時間の計時動作を開始し、同設定タイマ時間がタイムアップすると、シャッター音発生回路５１を起動してシャッター音を発生させ、伝送線４及び子機側通話インタフェース１１経由で子機側スピーカ１３に同シャッター音を音声出力させるものである。尚、同タイマ時間は数秒程度に設定することが望ましい。
【００３７】
また、マイコン４５は、録画ボタン４４Ｃにて留守中の自動録画を設定した場合、訪問者の呼出ボタン１４のボタン操作に応じて訪問者の映像を録画回路４３にて録画することになるが、この録画回路４３による録画動作が完了したタイミングで、シャッター音発生回路５１を起動してシャッター音を発生させ、伝送線４及び子機側通話インタフェース１１経由で子機側スピーカ１３に同シャッター音を音声出力させることもできるものである。
【００３８】
尚、請求項１乃至７記載のテレビドアホン装置はテレビドアホン装置１、カメラ玄関子機はカメラ玄関子機２、モニタ親機はモニタ親機３、撮像機能はＣＣＤカメラユニット１８、映像表示機能は液晶ユニット４０、擬似シャッター音発生手段はシャッター音発生回路５１、音声出力制御手段はマイコン４５、子機側通話インタフェース１１及びフラグ記憶部５２、スピーカは子機側スピーカ１３、禁止指定手段はシャッター音出力設定ボタン４４Ｆ、呼出指定手段は呼出ボタン１４、計時手段はタイマ回路５３、出力開始指定手段はシャッター音起動ボタン４４Ｇ、録画手段は録画回路４３に相当するものである。
【００３９】
次に第１の実施の形態を示すテレビドアホン装置１の動作について説明する。図２は第１シャッター音出力処理に関わるカメラ玄関子機２及びモニタ親機３の処理動作を示すフロー図である。
【００４０】
図２に示す第１シャッター音出力処理とは、カメラ玄関子機２の呼出ボタン１４のボタン操作に対応した呼出信号を検出すると、シャッター音発生回路５１を起動して擬似的なシャッター音を発生し、伝送線４及び子機側通話インタフェース１１経由でカメラ玄関子機２側の子機側スピーカ１３に音声出力する処理である。
【００４１】
図２においてカメラ玄関子機２内の呼出信号出力回路１５は、訪問者による呼出ボタン１４のボタン操作を検出すると(ステップＳ１１)、伝送線４経由でモニタ親機３に対して呼出信号を出力する(ステップＳ１２)。
【００４２】
モニタ親機３内のマイコン４５は、呼出信号検出回路３３を通じて伝送線４経由でカメラ玄関子機２からの呼出信号を検出すると(ステップＳ１３)、給電回路３７を起動し(ステップＳ１４)、フラグ記憶部５２に記憶中の設定フラグが許可フラグであるか否かを判定する(ステップＳ１５)。
【００４３】
マイコン４５は、設定フラグが許可フラグであると判定されると、シャッター音発生回路５１を起動してシャッター音を発生し(ステップＳ１６)、同シャッター音を伝送線４経由でカメラ玄関子機２に伝送する。
【００４４】
カメラ玄関子機２の子機側通話インタフェース１１では、伝送線４経由でシャッター音を検出すると、同シャッター音を子機側スピーカ１３に音声出力し(ステップＳ１７)、この処理動作を終了する。尚、カメラ玄関子機２側の訪問者は、シャッター音を受聴することになる。
【００４５】
また、モニタ親機３内のマイコン４５は、ステップＳ１５にて設定フラグが許可フラグでないと判定されると、禁止フラグであると判断し、シャッター音発生回路５１を起動することなく、この処理動作を終了する。
【００４６】
また、カメラ玄関子機３は、ステップＳ１１にて呼出ボタン１４のボタン操作を検出しなければ、この処理動作を終了する。
【００４７】
図２に示す第１シャッター音出力処理によれば、カメラ玄関子機２の呼出ボタン１４のボタン操作に対応した呼出信号を検出すると、シャッター音発生回路５１を起動して擬似的なシャッター音を発生し、伝送線４及び子機側通話インタフェース１１経由でカメラ玄関子機２側の子機側スピーカ１３に音声出力するようにしたので、不審者に対して擬似的なシャッター音の音声出力で自分の映像が撮像されたことをあえて知らせ、同不審者に警戒感を抱かせ、その犯行に及ばせないようにすることで、同不審者の犯行を未然に防止することができる。
【００４８】
また、タイマ設定ボタン４４Ｅにてタイマ時間を設定している場合は、次に説明する第２シャッター音出力処理を実行するものである。図３は第２シャッター音出力処理に関わるカメラ玄関子機２及びモニタ親機３の処理動作を示すフロー図である。
【００４９】
図３に示す第２シャッター音出力処理とは、タイマ設定ボタン４４Ｅにてタイマ時間を設定している場合に、カメラ玄関子機２の呼出ボタン１４のボタン操作に対応した呼出信号を検出すると、タイマ時間の計時動作を開始して、同タイマ時間がタイムアップすると、シャッター音発生回路５１を起動して擬似的なシャッター音を発生し、伝送線４及び子機側通話インタフェース１１経由でカメラ玄関子機２側の子機側スピーカ１３に音声出力する処理である。
【００５０】
図３においてカメラ玄関子機２内の呼出信号出力回路１５は、訪問者による呼出ボタン１４のボタン操作を検出すると(ステップＳ２１)、伝送線４経由でモニタ親機３に対して呼出信号を出力する(ステップＳ２２)。
【００５１】
モニタ親機３内のマイコン４５は、呼出信号検出回路３３を通じて伝送線４経由でカメラ玄関子機２からの呼出信号を検出すると(ステップＳ２３)、給電回路３７を起動し(ステップＳ２４)、フラグ記憶部５２に記憶中の設定フラグが許可フラグであるか否かを判定する(ステップＳ２５)。
【００５２】
マイコン４５は、設定フラグが許可フラグであると判定されると、タイマ回路５３にて設定中のタイマ時間に対する計時動作を開始し(ステップＳ２６)、タイマ時間がタイムアップしたか否かを判定する(ステップＳ２７)。
【００５３】
マイコン４５は、タイマ時間がタイムアップしたと判定されると、シャッター音発生回路５１を起動してシャッター音を発生し(ステップＳ２８)、同シャッター音を伝送線４経由でカメラ玄関子機２に伝送する。
【００５４】
カメラ玄関子機２の子機側通話インタフェース１１では、伝送線４経由でシャッター音を検出すると、同シャッター音を子機側スピーカ１３に音声出力し(ステップＳ２９)、この処理動作を終了する。尚、カメラ玄関子機２側の訪問者は、呼出ボタン１４のボタン操作後、タイマ時間経過後にシャッター音を受聴することになる。
【００５５】
また、マイコン４５は、ステップＳ２５にて設定フラグが許可フラグでないと判定されると、禁止フラグであると判断し、シャッター音発生回路５１を起動することなく、この処理動作を終了する。
【００５６】
また、マイコン４５は、ステップＳ２７にてタイマ時間がタイムアップしていないと判定されたのであれば、タイマ時間の計時動作を継続して同タイマ時間のタイムアップを監視することになる。
【００５７】
また、カメラ玄関子機３は、ステップＳ２１にて呼出ボタン１４のボタン操作を検出しなければ、この処理動作を終了する。
【００５８】
図３に示す第２シャッター音出力処理によれば、タイマ設定ボタン４４Ｅにてタイマ時間を設定している場合に、カメラ玄関子機２の呼出ボタン１４のボタン操作に対応した呼出信号を検出すると、タイマ時間の計時動作を開始して、同タイマ時間がタイムアップすると、シャッター音発生回路５１を起動して擬似的なシャッター音を発生し、伝送線４及び子機側通話インタフェース１１経由でカメラ玄関子機２側の子機側スピーカ１３に音声出力するようにしたので、不審者に対して擬似的なシャッター音の音声出力で自分の映像が撮像されたことをあえて知らせ、同不審者に警戒感を抱かせ、その犯行に及ばせないようにすることで、同不審者の犯行を未然に防止することができ、さらには呼出ボタン１４のボタン操作からタイマ時間経過後にシャッター音を音声出力することで、あたかも室内側のユーザが不審者を故意に撮影したかのように見せかけることで、同不審者に対して警戒感を一層抱かせることができる。
【００５９】
従って、第１の実施の形態によれば、カメラ玄関子機２の呼出ボタン１４のボタン操作に対応した呼出信号を検出すると、シャッター音発生回路５１を起動して擬似的なシャッター音を発生し、伝送線４及び子機側通話インタフェース１１経由でカメラ玄関子機２側のスピーカに音声出力するようにしたので、不審者に対して擬似的なシャッター音の音声出力で自分の映像が撮像されたことをあえて知らせ、同不審者に警戒感を抱かせ、その犯行に及ばせないようにすることで、同不審者の犯行を未然に防止することができる。
【００６０】
また、第１の実施の形態によれば、シャッター音出力設定ボタン４４Ｆのボタン操作に応じてシャッター音の音声出力の有無、すなわち許可フラグ及び禁止フラグを設定可能にしたので、状況に応じてシャッター音の音声出力の有無を設定することができるため、その利便性の向上を図ることができる。
【００６１】
また、第１の実施の形態によれば、親機側のシャッター音起動ボタン４４Ｇのボタン操作に応じてシャッター音を音声出力できるようにしたので、訪問者側の呼出ボタン１４のボタン操作に関係なく、モニタ親機３側のシャッター音起動ボタン４４Ｇのボタン操作のタイミングで自由にシャッター音を音声出力することができる。
【００６２】
また、第１の実施の形態によれば、タイマ設定ボタン４４Ｅにてタイマ時間を設定している場合に、カメラ玄関子機２の呼出ボタン１４のボタン操作に対応した呼出信号を検出すると、タイマ時間の計時動作を開始して、同タイマ時間がタイムアップすると、シャッター音発生回路５１を起動して擬似的なシャッター音を発生し、伝送線４及び子機側通話インタフェース１１経由でカメラ玄関子機２側の子機側スピーカ１３に音声出力するようにした、つまり、呼出ボタン１４のボタン操作からタイマ時間経過後にシャッター音を子機側スピーカ１３に音声出力するようにしたので、あたかも室内側のユーザが不審者を故意に撮影したかのように見せかけて、同不審者に対して警戒感を一層抱かせることができ、その結果、同不審者の犯行を未然に防止することができる。
【００６３】
また、第１の実施の形態によれば、例えば留守中に訪問者の映像を録画回路４３にて自動録画する場合においても、同訪問者の録画が完了したタイミングでシャッター音発生回路５１を起動して擬似的なシャッター音を発生し、伝送線４及び子機側通話インタフェース１１経由でカメラ玄関子機２側の子機側スピーカ１３に同シャッター音を音声出力するようにした、つまり、呼出ボタン１４のボタン操作から訪問者映像の録画完了後にシャッター音を子機側スピーカ１３に音声出力するようにしたので、あたかも室内側のユーザが訪問者を故意に撮影したかのように見せかけて、同不審者に対して警戒感を一層抱かせることができ、その結果、同不審者の犯行を未然に防止することができる。
【００６４】
尚、上記第１の実施の形態においては、モニタ親機３側にシャッター音を発生するシャッター音発生回路５１を設けるようにしたが、カメラ玄関子機２側にシャッター音発生回路を設けるようにしても良く、この場合の実施の形態につき、第２の実施の形態として説明する。
【００６５】
（実施の形態２)
図４は第２の実施の形態を示すテレビドアホン装置内部の概略構成を示すブロック図である。尚、図１に示す第１の実施の形態を示すテレビドアホン装置１と同一の構成については同一符号を付すことで、その重複する構成及び動作の説明については省略する。
【００６６】
図４に示すテレビドアホン装置１Ａと図１に示すテレビドアホン装置１とが異なるところは、モニタ親機３にシャッター音発生回路５１を設けるのではなく、カメラ玄関子機２側に子機側シャッター音発生回路５１Ａとして設けた点にある。
【００６７】
図４に示すカメラ玄関子機２Ａは、伝送線４経由でモニタ親機３からの制御信号を検出する制御信号検出回路５４と、この制御信号検出回路５４にてモニタ親機３からの制御信号を検出すると起動して、子機側スピーカ１３に音声出力するための擬似的なシャッター音を発生する子機側シャッター音発生回路５１Ａとを有している。
【００６８】
また、モニタ親機３Ａは、伝送線４経由でカメラ玄関子機２Ａに対して制御信号を出力する制御信号出力回路５５を有している。
【００６９】
モニタ親機３Ａのマイコン４５は、呼出信号検出回路３３を通じてカメラ玄関子機２Ａ側の訪問者の呼出ボタン１４のボタン操作に対応する呼出信号を検出すると、フラグ記憶部５２に記憶中の設定フラグの内容を判定し、設定フラグが許可フラグであると判定されると、制御信号出力回路５５にて制御信号を伝送線４経由でカメラ玄関子機２Ａ側に出力させるものである。
【００７０】
カメラ玄関子機２Ａは、制御信号検出回路５４を通じて伝送線４経由でモニタ親機３Ａからの制御信号を検出すると、子機側シャッター音発生回路５１Ａを起動して擬似的なシャッター音を発生し、このシャッター音を親機側スピーカ１３に音声出力させるものである。
【００７１】
尚、請求項８記載のテレビドアホン装置はテレビドアホン装置１Ａ、カメラ玄関子機はカメラ玄関子機２Ａ、モニタ親機はモニタ親機３Ａ、撮像機能はＣＣＤカメラユニット１８、映像表示機能は液晶ユニット４０、擬似シャッター音声発生手段は子機側シャッター音発生回路５１Ａ及び制御信号検出回路５４、出力制御手段はマイコン４５及び制御信号出力回路５５に相当するものである。
【００７２】
次に第２の実施の形態を示すテレビドアホン装置１Ａの動作について説明する。図５は第３シャッター音出力処理に関わるカメラ玄関子機２Ａ及びモニタ親機３Ａの処理動作を示すフロー図である。
【００７３】
図５に示す第３シャッター音出力処理とは、カメラ玄関子機２Ａの呼出ボタン１４のボタン操作に対応した呼出信号をモニタ親機３Ａ側にて検出すると、制御信号をカメラ玄関子機２Ａ側に出力し、制御信号に応じてカメラ玄関子機２Ａ側に配置した子機側シャッター音発生回路５１Ａを起動して擬似的なシャッター音を発生して、同シャッター音をカメラ玄関子機２Ａ側の子機側スピーカ１３に音声出力する処理である。
【００７４】
図５においてカメラ玄関子機２Ａ内の呼出信号出力回路１５は、訪問者による呼出ボタン１４のボタン操作を検出する(ステップＳ４１)、伝送線４経由でモニタ親機３Ａに対して呼出信号を出力する(ステップＳ４２)。
【００７５】
モニタ親機３Ａ内のマイコン４５は、呼出信号検出回路３３を通じて伝送線４経由でカメラ玄関子機２Ａからの呼出信号を検出すると(ステップＳ４３)、給電回路３６を起動して(ステップＳ４)、フラグ記憶部５２に記憶中の設定フラグが許可フラグであるか否かを判定する(ステップＳ４５)。
【００７６】
マイコン４５は、設定フラグが許可フラグであると判定されると、制御信号出力回路５５から制御信号を伝送線４経由でカメラ玄関子機２Ａに出力する(ステップＳ４６)。
【００７７】
カメラ玄関子機２Ａ内の制御信号検出回路５４は、伝送線４経由でモニタ親機３Ａからの制御信号を検出すると（ステップＳ４７）、子機側シャッター音発生回路５１Ａを起動して擬似的なシャッター音を発生し(ステップＳ４８)、同シャッター音を子機側スピーカ１３に音声出力することで(ステップＳ４９)、この処理動作を終了する。尚、カメラ玄関子機２Ａ側の訪問者は、シャッター音を受聴することになる。
【００７８】
また、モニタ親機３Ａ内のマイコン４５は、ステップＳ４５にてフラグ記憶部５２に記憶中の設定フラグが許可フラグでないと判定されると、禁止フラグであると判断し、制御信号出力回路５５にて制御信号を出力することなく、この処理動作を終了する。
【００７９】
また、カメラ玄関子機３は、ステップＳ４１にて呼出ボタン１４のボタン操作を検出しなければ、この処理動作を終了する。
【００８０】
図５に示す第３シャッター音出力処理によれば、カメラ玄関子機２Ａの呼出ボタン１４のボタン操作に対応した呼出信号をモニタ親機３Ａ側にて検出すると、制御信号をカメラ玄関子機２Ａ側に出力し、制御信号に応じてカメラ玄関子機２Ａ側に配置した子機側シャッター音発生回路５１Ａを起動して擬似的なシャッター音を発生して、同シャッター音をカメラ玄関子機２Ａ側の子機側スピーカ１３に音声出力するようにしたので、不審者に対して擬似的なシャッター音の音声出力で自分の映像が撮像されたことをあえて知らせ、同不審者に警戒感を抱かせ、その犯行に及ばせないようにすることで、同不審者の犯行を未然に防止することができる。
【００８１】
従って、第２の実施の形態によれば、カメラ玄関子機２Ａの呼出ボタン１４のボタン操作に対応した呼出信号をモニタ親機３Ａ側にて検出すると、制御信号をカメラ玄関子機２Ａ側に出力し、制御信号に応じてカメラ玄関子機２Ａ側に配置した子機側シャッター音発生回路５１Ａを起動して擬似的なシャッター音を発生して、同シャッター音をカメラ玄関子機２Ａ側の子機側スピーカ１３に音声出力するようにしたので、不審者に対して擬似的なシャッター音の音声出力で自分の映像が撮像されたことをあえて知らせ、同不審者に警戒感を抱かせ、その犯行に及ばせないようにすることで、同不審者の犯行を未然に防止することができる。
【００８２】
さらに、第２の実施の形態によれば、カメラ玄関子機２Ａ側にシャッター音を発生する子機側シャッター音発生回路５１Ａを設けるようにしたので、モニタ中等でモニタ親機３Ａからカメラ玄関子機２Ａに対して音声信号が送れない状況下であっても、カメラ玄関子機２Ａ側にてシャッター音を発生し、同カメラ玄関子機２Ａの子機側スピーカ１３からシャッター音を音声出力することができる。
【産業上の利用可能性】
【００８３】
本発明のテレビドアホン装置によれば、擬似シャッター音発生手段にて発生した擬似シャッター音をカメラ玄関子機側のスピーカにて音声出力させるようにしたので、不審者に対して擬似シャッター音の音声出力で自分の映像が撮像されたことをあえて知らせ、同不審者に警戒感を抱かせ、その犯行に及ばせないようにすることで、同不審者の犯行を未然に防止することができるため、例えば一戸建て住宅やマンション等の集合住宅等に配置したテレビドアホン装置に有用である。
【図面の簡単な説明】
【００８４】
【図１】本発明の第１の実施の形態を示すテレビドアホン装置内部の概略構成を示すブロック図
【図２】第１の実施の形態での第１シャッター音出力処理に関わるカメラ玄関子機及びモニタ親機の処理動作を示すフロー図
【図３】第１の実施の形態での第２シャッター音出力処理に関わるカメラ玄関子機及びモニタ親機の処理動作を示すフロー図
【図４】本発明の第２の実施の形態を示すテレビドアホン装置内部の概略構成を示すブロック図
【図５】第２の実施の形態での第３シャッター音出力処理に関わるカメラ玄関子機及びモニタ親機の処理動作を示すフロー図
【符号の説明】
【００８５】
１  テレビドアホン装置
１Ａ  テレビドアホン装置
２  カメラ玄関子機
２Ａ  カメラ玄関子機
３  モニタ親機
３Ａ  モニタ親機
１１  子機側通話インタフェース(音声出力制御手段)
１３  子機側スピーカ(スピーカ)
１４  呼出ボタン（呼出指定手段）
１８  ＣＣＤカメラユニット(撮像機能)
４０  液晶ユニット（映像表示機能）
４３  録画回路（録画手段）
４４Ｆ  シャッター音出力設定ボタン（禁止指定手段）
４４Ｇ  シャッター音起動ボタン（出力開始指定手段）
４５  マイコン(音声出力制御手段、出力制御手段)
５１  シャッター音発生回路（擬似シャッター音発生手段）
５１Ａ  子機側シャッター音発生回路(擬似シャッター音発生手段)
５２  フラグ記憶部(音声出力制御手段、出力制御手段)
５３  タイマ回路(計時手段)
５４  制御信号検出回路(擬似シャッター音発生手段)
５５  制御信号出力回路(出力制御手段)
【図１】
2006319426.tif 000003
【図２】
2006319426.tif 000004
【図３】
2006319426.tif 000005
【図４】
2006319426.tif 000006
【図５】
2006319426.tif 000007